(57)【要約】【解決手段】ディスペンサのためのアセンブリは、流動可能性材料を有する容器を受け入れるように構成されたチューブを固定して受け入れるように構成された第１のチューブ開口部を有するフロントプレートと、フロントプレートに配置された解放アセンブリであって、第１および第２の部材を有し、第１および第２の部材は、第１および第２の部材が閉位置にあるときに第１のチューブ開口部の一部を覆い、第１および第２の部材が開位置にあるときに第１のチューブ開口部を開放するように、第１および第２の部材のそれぞれのヒンジ部の周りをヒンジ動作可能な解放アセンブリと、を有する。組み合わせは、ディスペンサと、ディスペンサに解放可能に固定されたアセンブリと、を含む。キットは、流動性材料を有する容器と、プランジャを有するディスペンサと、ディスペンサに解放可能に固定されたアセンブリと、を含む。【選択図】図１
2019509951.tif 000002
【特許請求の範囲】
【請求項１】
ディスペンサのためのアセンブリであって、
流動性材料を有する容器を受け入れるように構成されたチューブを固定して受け入れるように構成された第１のチューブ開口部を有するフロントプレートと、
前記フロントプレートに配置された解放アセンブリであって、第１および第２の部材を有し、前記第１および第２の部材は、前記第１および第２の部材が閉位置にあるときに前記第１のチューブ開口部の一部を覆い、前記第１および第２の部材が開位置にあるときに前記第１のチューブ開口部を開放するように、前記第１および第２の部材のそれぞれのヒンジ部の周りをヒンジ動作可能な解放アセンブリと、
を有するアセンブリ。
【請求項２】
前記フロントプレートに固定されたヒンジピンをさらに有し、
前記ヒンジ部は、前記第１および第２の部材のそれぞれのヒンジ開口部を有し、
前記ヒンジピンは、前記第１および第２の部材のそれぞれの前記ヒンジ開口部内に配置されている、請求項１に記載のアセンブリ。
【請求項３】
前記第１および第２の部材を前記閉位置から前記開位置に移動させるように付勢するばねをさらに有する、請求項１に記載のアセンブリ。
【請求項４】
前記フロントプレートは、流動性材料を有する容器を受け入れるように構成された第２のチューブを固定して受け入れる第２のチューブ開口部をさらに有し、
２つの前記部材は、前記第１および第２の部材が閉位置にあるとき前記第１および第２のチューブ開口部を部分的に覆い、前記第１および第２の部材が開位置にあるとき前記第１および第２のチューブ開口部を開放する、請求項１に記載のアセンブリ。
【請求項５】
前記チューブは、内部に流動性材料を有する２つ以上の容器を受け入れるように構成され、前記第１のチューブ開口部は、前記容器から前記流動性材料を受け入れるように構成される、請求項１に記載のアセンブリ。
【請求項６】
前記第１の部材および前記第２の部材を互いに前記閉位置に解放可能に固定するロック機構をさらに備える、請求項１に記載のアセンブリ。
【請求項７】
前記第１および第２の部材の各々に配置されたロック開口部をさらに有し、
前記ロック機構は、前記第１および第２の部材の前記ロック開口部内にスライド可能に配置されたばね荷重式ロックピンをさらに有する、請求項６に記載のアセンブリ。
【請求項８】
前記ばね荷重式ロックピンを解放可能に固定するために前記前部プレートに配置された戻り止めをさらに有する、請求項７に記載のアセンブリ。
【請求項９】
前記ロック機構は、
ロック位置と解放位置との間で選択的に回転するように前記フロントプレートに取り付けられた解放部と、
前記解放部を前記ロック位置に向かって弾性的に付勢する付勢要素と、を有し、
前記第１および第２の部材はそれぞれ、前記ロック位置で前記解放部と相互に係合し、前記第１および第２の要素を前記閉位置にするロック要素をさらに有持する、請求項６に記載のアセンブリ。
【請求項１０】
前記ロック機構は、
ロック位置と解放位置との間で選択的に回転するように前記フロントプレートに取り付けられ、中に開口部を画定する解放部と、
前記解放部を前記ロック位置に向かって弾性的に付勢する付勢要素と、を有し、
前記第１の部材はその上部から突出する突起を有し、前記第２の部材はその上部から突出する突起を有し、前記第１および第２の部材の突起は、前記開放部が前記ロック位置にあるとき解放開口部内に配置される、請求項６に記載のアセンブリ。
【請求項１１】
リアプレートと、
前記リアプレートを前記フロントプレートに固定する少なくとも１つのロッドと、をさらに有する請求項１に記載のアセンブリ。
【請求項１２】
前記リアプレートは、前記チューブの後部を受け入れるように構成された凹部またはオリフィスを有する、請求項１１に記載のアセンブリ。
【請求項１３】
ディスペンサと、
放出ガンに解放可能に固定されたアセンブリと、を有し、
前記アセンブリは、
流動性材料を有する容器を受け入れるように構成されたチューブの前端部を固定して受け入れるように構成された第１のチューブ開口部を有するフロントプレートと、
前記チューブの後部を受け入れるように構成された凹部またはオリフィスを有するリアプレートと、
前記リアプレートを前記フロントプレートに固定する少なくとも１つのロッドと、
前記フロントプレートに配置された解放アセンブリであって、第１および第２の部材を有し、前記第１および第２の部材は、前記第１および第２の部材が閉位置にあるときに前記第１のチューブ開口部の一部を覆い、前記第１および第２の部材が開位置にあるときに前記第１のチューブ開口部を開放するように、前記第１および第２の部材のそれぞれのヒンジ部の周りをヒンジ動作可能な解放アセンブリと、
前記第１部材および第２部材を互いに閉位置に解放可能に固定するロック機構と、
を有する組み合わせ。
【請求項１４】
前記リアプレートは開口部を有し、前記ディスペンサからの駆動ロッドが前記開口部を通って配置される、請求項１３に記載の組合せ。
【請求項１５】
前記フロントプレートは、流動性材料を有する容器を受け入れるように構成された第２のチューブを固定して受け入れる第２のチューブ開口部をさらに有し、
２つの前記部材は、前記第１および第２の部材が閉位置にあるとき前記第１および第２のチューブ開口部の一部を覆い、前記第１および第２の部材が開位置にあるとき前記第１および第２のチューブ開口部を開放し、
前記リアプレートは、前記第２のチューブの後部を受け入れるように構成された第２の凹部またはオリフィスを有する、請求項１３に記載の組み合わせ。
【請求項１６】
前記フロントプレートに固定されたヒンジピンをさらに有し、
前記ヒンジ部は、前記第１および第２の部材のそれぞれにヒンジ開口部を有し、
前記ヒンジピンは、前記第１および第２の部材のそれぞれの前記ヒンジ開口部に配置される、請求項１３に記載の組み合わせ。
【請求項１７】
前記第１および第２の部材の各々を通して配置されたロック開口部をさらに有し、
前記ロック機構は、前記第１および第２の部材の前記ロック開口部内にスライド可能に配置されたばね荷重式ロックピンをさらに有する、請求項１３に記載の組み合わせ。
【請求項１８】
前記フロントプレートに配置され、前記ばね荷重式ロックピンを解放可能に固定する戻り止めをさらに有する、請求項１７に記載の組み合わせ。
【請求項１９】
流動性材料を有する容器と、
プランジャを有するディスペンサと、
放出ガンに解放可能に固定されたアセンブリと、を有し、
前記アセンブリは、
流動性材料を有する容器を受け入れるように構成されたチューブの前端部を固定して受け入れるように構成された第１のチューブ開口部を有するフロントプレートと、
前記チューブの後部を受け入れるように構成された凹部またはオリフィスを有するリアプレートと、
前記リアプレートを前記フロントプレートに固定する少なくとも１つのロッドと、
前記フロントプレートに配置された解放アセンブリであって、第１および第２の部材を有し、前記第１および第２の部材は、前記第１および第２の部材が閉位置にあるときに前記第１のチューブ開口部の一部を覆い、前記第１および第２の部材が開位置にあるときに前記第１のチューブ開口部を開放するように、前記第１および第２の部材のそれぞれのヒンジ部の周りをヒンジ動作可能な解放アセンブリと、
前記第１および第２の部材を互いに閉位置に解放可能に固定するロック機構と、を有し
前記リアプレートは、前記チューブの前記前端部から前記流動性材料を分配するために、前記ディスペンサから前記プランジャを受け入れる開口部を有する、キット。
【発明の詳細な説明】
【技術分野】
【０００１】
本開示は、流動性材料を送達するディスペンサのアセンブリに関する。特に、本開示は、ディスペンサまたはディスペンスガンとともに使用する流動性材料を含むカートリッジまたはホイルを解放可能に固定するアセンブリに関する。
【背景技術】
【０００２】
接着剤またはシーラントのような流動性材料は、通常は容器から塗布される。既知の容器としては、カートリッジおよびソーセージまたはホイルが挙げられる。カートリッジは、流動性材料、および一端の出口および他端のピストンを含む円筒状の硬質シェルを有する。カートリッジは、ディスペンサまたはディスペンスガンに入れられる。ディスペンサの作動によって、駆動ロッドが直線的に移動してカートリッジピストンをカートリッジ出口に向かって移動させ、流動性材料が出口から押し出される。より大きな用途では、流動性材料は「ソーセージ」または「ホイル」に収容される。ソーセージおよびホイルは、可撓性のあるフィルムタイプの材料で作られたほぼ円筒形の容器を有する。可撓性材料は、流動性材料の周囲を囲んで封止され、一端に出口を有する。ソーセージまたはホイルは、ディスペンサまたはディスペンスガンに入れられる。ディスペンサの作動によって、駆動ロッドの端部でプランジャが直線的に移動してソーセージまたはホイルを潰し、流動性材料を出口から押し出す。
【発明の概要】
【発明が解決しようとする課題】
【０００３】
現在のディスペンスガンは人間工学的に配置されてはおらず、流動性材料を含むカートリッジまたはソーセージを、特に複数のカートリッジを有するディスペンスガンに取り付けたり取り外したりすることは、煩雑で時間がかかる作業である。ディスペンシングガンの中には、カートリッジのノズルが挿入されるスロットを使用するものがある。スロットは、ディスペンスガンが作動したときにカートリッジの前部が上がることを可能にし、ディスペンスガンのプランジャが中央から外れるようにする。この分野では、ディスペンサまたはディスペンスガンとともに使用するカートリッジの取り付けおよび取り外しを容易かつ簡便に可能にする改良されたアセンブリが必要とされている。
【課題を解決するための手段】
【０００４】
本開示は、ディスペンサまたはディスペンスガンとともに使用するアセンブリを提供する。アセンブリは、回転可能に移動可能な前部部材であって、フロントプレートを中心とした開位置と閉位置との間で移動可能な前部部材を含む。開位置では、アセンブリ内のチューブは、流動性材料を含むカートリッジの装填または取り出しのためにアクセス可能である。閉位置では、カートリッジはアセンブリ内に固定される。アセンブリは、ディスペンサまたはディスペンスガンに固定され得るリアプレートを含む。フロントプレートおよびリアプレートは互いに固定され、それによってチューブをアセンブリ内に固定する。
【０００５】
本開示の他の態様では、アセンブリとディスペンサまたはディスペンスガンとの組み合わせが提供される。
【０００６】
本開示の他の態様では、アセンブリ、ディスペンサまたはディスペンスガン、および流動性材料を含むカートリッジまたはホイルを含むキットが提供される。
【０００７】
本開示のこれらおよび他の特徴および利点は、添付図面に関連して読まれる本開示の例示的な実施形態の以下の詳細な説明から明らかになるであろう。対応する参照番号または文字は、図面のいくつかの図を通して対応する部分を示す。
【図面の簡単な説明】
【０００８】
【図１】本開示による、ディスペンスガンと流動性材料を有するカートリッジを収容するアセンブリとの組み合わせの斜視図である。
【図２】図１の組み合わせで有用な流動性流体を有する硬質シェルカートリッジの断面図である。
【図３】図１の組合せで有用な流動性流体を有するソーセージまたはホイルの断面図である。
【図４】流動性流体を収容するカートリッジまたはソーセージの出入りを提供する可動部材を備えたフロントプレートを有する、図１のアセンブリの正面部分の正面図である。
【図５】図４のフロントプレートの後部の側面部分斜視図である。
【図６】図１の組み合わせのためのアセンブリに有用な、ばね荷重式ロックピンの図である。
【図７】図１の組み合わせのためのアセンブリに有用なヒンジピンの図である。
【図８】図１の組み合わせのためのアセンブリに有用なボルトの図である。
【図９】図１の組み合わせのためのアセンブリに有用なコイルばねの図である。
【図１０】２つのカートリッジまたはソーセージからの流れを混合する、図１の組み合わせのためのアセンブリに有用なマニホールドの斜視図である。
【図１１】フロントプレートおよび可動部材の一実施形態の斜視図である。
【図１２】可動部材の一実施形態の斜視図である。
【図１３】図１の組み合わせのためのアセンブリの背面斜視図である。
【図１４】フロントプレートの一実施形態の部分斜視図である。
【図１５】リアプレートの一実施形態の別の部分斜視図である。
【図１６】ディスペンスガンとカートリッジを収容するアセンブリとの他の実施形態の側面図である。
【図１７】図１６の実施形態の側面斜視図である。
【図１８】図１６の実施形態の側面斜視図であり、可動部材を開位置で示している。
【図１９】図１６の実施形態の異なる角度からの側面斜視図である。
【図２０】図１６のディペンスガンおよびアセンブリの反対側の側面図である。
【図２１】図２０の実施形態の斜視図である。
【図２２】図２１の実施形態の異なる角度からの側面斜視図である。
【図２３】図１６の実施形態の正面図である。
【図２４】図１６の実施形態の正面図であり、可動部材を開位置で示している。
【図２５】図１６の実施形態の背面図である。
【図２６】図１６の実施形態の平面図である。
【図２７】図１６の実施形態の底面図である。
【図２８】フロントプレートおよび可動部材の他の実施形態である。
【図２９】図２８の一部の部分断面図である。
【図３０ａ】ロック位置にある解放アセンブリの他の実施形態である。
【図３０ｂ】解放位置にある図３０ａの解放アセンブリである。
【図３１】可動部材の一実施形態の部分的な部分断面図である。
【図３２】リアプレートの一実施形態の斜視図である。
【発明を実施するための形態】
【０００９】
図１は、ディスペンスガンまたはディスペンサ１２と、アセンブリ１００と、を有する組合せ１０の斜視図である。アセンブリ１００は、分配のためのカートリッジ１４またはソーセージもしくはホイル２６などの流動性材料の容器を保持するのに有用である。ディスペンサ１２は、流動性材料を分配するための電力を供給するバッテリーのような電源（図示せず）を有することができる。他の形態では、ディスペンサは、空気圧または有線式の電源などの他の動力源によって駆動されてもよい。他の形態では、ハンドクランクまたはハンドピストル装置などの手動動力も使用することができる。アセンブリ１００に有用なディスペンサ１２は市販されている。電池式のディスペンサは、例えば、ニューヨーク州サラマンカのＭｅｒｉｒｏｏｌ  ＬＬＣから市販されている。
【００１０】
アセンブリ１００は、フロントプレート１０８とリアプレート１０６との間に固定されて配置されたチューブ１０２、１０４を含む。好ましくは、チューブ１０２、１０４は、アセンブリ１００を人間工学的に改善するために垂直方向に配置される。タイロッド１１０は、フロントプレート１０８とリアプレート１０６との間にチューブ１０２、１０４を固定するために、タイロッド１１０がフロントプレート１０８およびリアプレート１０６に取り付けられる。リアプレート１０６は、ねじ（図示せず）などによってディスペンサ１２に固定されて取り付けることができる。しかし、本開示は限定されず、取り外し可能な方法を含む他の方法を用いて、リアプレート１０６をディスペンサ１２に取り付けることができる。図１には２本のチューブ１０２、１０４が示されているが、単一のチューブまたは３本以上の複数のチューブを含む、適宜のいかなる数のチューブを用いてもよい。
【００１１】
チューブ１０２、１０４は、カートリッジまたはソーセージもしくはホイルを含む流動性材料を受けるように構成された開いた円筒形の管である。図１のチューブは、約５０ｍｍの直径を有するが、意図した目的に合うように、より大きいまたはより小さいチューブを使用することができる。チューブ１０２、１０４は、断面が実質的に円形であるように描かれているが、本開示はそれに限定されず、他の形状を適切に使用することができる。さらに、チューブは、個々にまたは組み合わせて、多管腔のチューブであってもよい。
【００１２】
フロントプレート１０８は、第１および第２の可動部材１１４、１１６を有する解放アセンブリ１１２を含む。可動部材１１４、１１６は、ヒンジ部分または機構１１８の周りを回転可能に移動可能であり、ロック機構１１９によって互いに解放可能に固定される。図１では、可動部材１１４、１１６は閉位置にある。閉位置において、可動部材１１４、１１６は、チューブ１０２、１０４の開口端を部分的に覆い、流動性材料を内部に有する容器（図示せず）を固定する。閉位置では、可動部材１１４、１１６は、チューブ１０２、１０４の開口端の幾何学的形状に近似する開口部を形成することができるが、開口部は、チューブ１０２、１０４の対応する直径およびチューブ１０２、１０４内に配置された容器（図示せず）の対応する直径よりも有効閉鎖直径が小さい。図３１に最も良く示されている一形態では、可動部材１１４、１１６の開口部は、ガンの方向に直径がより大きく、前面８８に向かって延びるにつれてより小さな直径に先細になる、面取りされたボア８６を有する。面取りされたボアは、可動部材１１４、１１６が閉位置に動かされるときに容器１４、２６がチューブ１０２、１０４のボアと軸方向に整列するガイドを補助する。いくつかの変形例では、可動部材１１４、１１６は同一であり、交換可能に使用することができる。
【００１３】
図２は、アセンブリ１００に有用な、流動性材料２０を有するカートリッジ１４の断面図である。カートリッジ１４は、硬質シェル１６を含むことができる。カートリッジ１４は、流動性材料２０の排出用の開口部２２を有してもよい。開口部２２は、混合マニホールド、混合ノズルまたは分配ノズルをカートリッジ１４に流体的に接続させるための解放可能なシール（図示せず）および／または出口（図示せず）を含むことができる。カートリッジ１４は、ディスペンサの作動によってリアプレートに隣接する位置とフロントプレートに向かう位置との間で移動可能な内部ピストンまたはプランジャ１８を有する。ピストンまたはプランジャ１８のフロントプレートへの移動によって、カートリッジ１４から流動性材料２０をから押し出すことができる。流動性材料２０をカートリッジ１４から押し出すための他の技術が適宜使用されてもよい。
【００１４】
図３は、アセンブリ１００に有用な、流動性材料２０を内部に有するソーセージまたはホイル２６の断面図である。ソーセージまたはホイル２６は、中に流動性材料２０が配置される可撓性を有するホイルまたは袋３０を形成する薄く柔軟なフィルム状材料を有する。ホイルまたは袋３０は、チューブ１０２、１０４内に配置されてもよい。ホイルまたは袋３０は、開口部２４を有してもよい。開口部２４は、混合マニホールド、混合ノズルまたは分配ノズルをカートリッジ１４に流体的に接続させるための解放可能なシール（図示せず）および／または出口（図示せず）を含むことができる。ディスペンサ１２は、ディスペンサの作動によって、リアプレートに隣接する位置からフロントプレートに向かう位置までの間で長手方向に移動可能なピストンまたはプランジャ４０を有する。ピストンまたはプランジャ４０のフロントプレートへ向かう移動によって、流動性材料２０をソーセージまたはホイル２６から押し出すことができる。流動性材料が分配されるにつれて、可撓性を有するホイルまたは袋３０は潰れる。流動性材料２０を容器２４から押し出す他の技術を好適に使用することができる。
【００１５】
流動性材料２０は、粘性のあるまたはペースト状の流動性材料であってもよい。有用な材料としては、コーキング剤、シーラント、接着剤などが挙げられるが、これらに限定されない。組み合わせ１０に使用される流動性材料２０は、容器１４、３０で同じであっても異なっていてもよい。流動性材料２０は、限定するものではないが、２部エポキシおよび２部のポリウレタンのような、混合時に化学反応する多成分系を含むことができる。このような多成分材料の場合、一方の成分が容器１４、３０の一方の中に配置され、異なる成分が容器１４、３０の他方に配置されてもよい。他の形態では、チューブ１０２、１０４は、異なる成分が異なる内腔内に配置される図８の構成において２つの開放内腔を有する単一の二重形状の容器（図示せず）と置き換えられる。そのような場合、容器は、材料のウェブによって接合された２つの平行なソーセージのような、図８の構成に一致する幾何学形状（図示せず）を有することができる。他の形態では、流動性材料２０は、例えば、水分に曝されると架橋して硬化する一成分ポリウレタン組成物のような一成分材料であってもよい。この形態では、チューブ１０２、１０４の一方または両方は、同じ材料を含むカートリッジまたはホイルを含む。
【００１６】
図４は、図１の解放アセンブリ１１２の正面図である。第１の可動部材１１４は、上部１２２および下部１２０を有し、第２の可動部材１１６は、上部１２６および下部１２４を有する。第１および第２の可動部材１１４、１１６のそれぞれの上部１２２、１２６は、ヒンジ部またはヒンジ機構１１８と回転可能に係合される。これにより、第１および第２の可動部材１１４、１１６のそれぞれの上部１２２、１２６は、図１に示す閉位置から図４に示す開位置までの間で移動することが可能である。第１および第２の可動部材１１４、１１６の開位置では、容器１４、３０を有するチューブ１０２、１０４が露出される。容器１４、３０は、チューブ１０２、１０４から取り外されてもよく、その後、新しい容器１４、３０がチューブ１０２、１０４内に配置されてもよい。次に、第１および第２の部材１１４、１１６は、図１に示すように、閉位置に移動させられる。
【００１７】
図４に示すように、第１および第２の部材１１４、１１６は、フロントプレート１０８の周りを移動可能である。第１および第２の部材１１４、１１６は、マニホールドスペーサ１２８、１３０をそれぞれ含むことができる。
【００１８】
第１および第２の可動部材１１４、１１６のそれぞれの上部１２２、１２６は、穴またはアパーチャー１３２、１３４を有することができる。穴またはアパーチャー１３２、１３４内には、磨耗ブッシュ１３６、１３８が固定可能に配置されてもよい。磨耗ブッシュ１３６、１３８は、以下でさらに詳細に説明するロック機構１１９に有用である。ボルト１４２、１４４は、タイロッド１１０をフロントプレート１０８に固定するのに有用である。
【００１９】
図５は、解放アセンブリ１１２の部分斜視かつ背面図である。ロックプレート止め突起１５０、１５２が、フロントプレート１０８の底部１５３に配置されてもよい。ロックプレート止め突起１５０、１５２は、ヒンジ機構１１８の周りの第１および第２の部材１１４、１１６のそれぞれの下部１２０、１２４の回転の度合いを制限するのに用いることができる。
【００２０】
フロントプレートは開口部１４６、１４８を有する。チューブ１０２、１０４4は、それぞれのオリフィス１４６、１４８内に固定可能に配置されてもよい。例えば、チューブ１０２、１０４は、オリフィス１４６、１４８に固定可能にねじ込まれてもよい。しかしながら本開示はこれに限定されず、チューブ１０２、１０４をフロントプレート１０８に固定する他の技術を好適に用いることができる。例えば、チューブ１０２、１０４がオリフィス１４６、１４８に圧入されたり、チューブ１０２、１０４がオリフィス１４６、１４８に溶接されたり、チューブ１０２、１０４がオリフィス１４６、１４８に接着により接合されたり、または、フロントプレート１０８およびチューブ１０２、１０４が一体構造として形成されたりしてもよい。
【００２１】
フロントプレート１０８の上部１１７は、ロック機構１１９を含む。ロック機構１１９は、ばね荷重式ロックピン１４０の形態であってもよい。有用なばね荷重式ロックピン１４０の一例が図６に示されている。ばね荷重式ロックピン１４０は、スライド可能部１５４、ねじ部１５６およびアクセス部１５８を含むことができる。ねじ部１５６は、フロントプレート１０８にねじ込むことができる。ばね荷重式ロックピン１４０は、通常は、図６の上の図に示すように、スライド可能部１５４4がねじ部１５６から延びるように付勢されている。この構成では、図１に示すように第１および第２の部材１１２、１１６が閉位置にあるとき、ねじ部がフロントプレート１０８に係合すると、スライド可能部１５４は、第１および第２の部材１１４、１１６のそれぞれの磨耗ブッシュ１３６、１３８内に配置される。これは、ばね荷重式ロックピン１４０のロック位置を表す。
【００２２】
アクセス部１５８は、図６の下の図に示されているように、引っ張られるか、さもなければ操作されて、付勢力に抗してスライド可能部１５４をねじ部１５６に引き戻すことができる。これは、ばね荷重式ロックピン１４０のロック解除位置を表す。アクセス部１５８は、回転してばね荷重式ロックピン１４０をロック解除位置に一時的にロックすることができる。ロック解除位置では、第１および第２の部材１１４、１１６は、図４に示すように、それらの開位置に回転可能かつヒンジ式に動くことができる。ロック解除位置からのアクセス部１５８の回転によって、スライド可能部１５４は付勢力のもとで自動的に延びることができる。本形態は、ユーザが、アクセス部１５８を引っ込めてスライド可能部１５４を引き出し、アクセス部１５８を回転させて、スライド可能部１５４を片手で引き出し位置に固定することができる。スライド可能部１５４が引き出されると、第１および第２の部材１１４、１１６は、ばそれらのね付勢力のもとで自動的に開く。容器が挿入された後、ユーザは片手で第１および第２の部材１１４、１１６をそれらのばね付勢力に抗して回転可能に閉じ、アクセス部１５８を回転させてスライド可能部１５４を自動的に伸長させ、第１および第２の部材１１４、１１６を閉位置に固定することができる。しかしながら、本開示は、ばね荷重式ロックピン１４０を使用することに限定されず、他の適切なロック機構を適切に使用することができる。アクセス部１５８は、フロントプレート１０８の上部１１７に配置され、ばね荷重式ロックピンをロック位置に保持するための戻り止め１１５の位置を提供してもよい。
【００２３】
図３０ａおよび図３０ｂは、解放アセンブリの他の形態を示す。図２４に最もよく示されているように、可動部材上部１２２は、傾斜面７１および肩部７２を含む略三角形の突起７０を有する。可動部材上部１２６は、傾斜面７５および肩部７６を含む略三角形の突起７４を有する。再び図３０ａおよび３０ｂを参照すると、フロントプレート上部１１７は、ロック機構７８が移動可能に取り付けられた突起（図示せず）を含む。ロック機構は、ピン８２によって突起に取り付けられた解放部８０を含み、解放部は、可動部材上部１２２、１２６に隣接するロック位置（図３０ａに示す）から、上部１２２、１２６から離れた解放位置（図３０ｂに示される）へ、ユーザによってピン周りに回転させられることができるように取り付けられている。ロック機構は、好ましくは、解放部８０をロック位置に弾性的に付勢するばねなどの付勢要素を含む。解放部は、突起７０、７４と係合可能な開口部を含む。ユーザは、解放部の後部をチューブ１０２に向かって押し下げ、解放開口８４を突起７０、７４から離れて上げることができる。これにより、可動部材１１４、１１６を図２４に示す開位置へ移動させることができる。開位置では、ユーザは、容器１４または３０をチューブ１０２、１０４から取り外したり、挿入したりすることができる。ユーザが後部を解放すると、解放部８０はロック位置に向かって付勢される。ユーザは、可動部材１１４、１１６を閉位置に移動させることができる。突起７０、７４が解放部８０に近づくにつれて、傾斜面７１、７５は解放部８０を付勢力にバイアスに抗してラグ７０、７４が解放開口部内で動くことを可能にする。突起７０、７４が解放開口部内にあるとき、解放部８０は閉じた位置に向かって付勢され、突起の肩部７２、７６は解放開口部に当接して可動部材１１４、１１６を閉位置に維持する。この形態によれば、ユーザは片手で可動部材１１４、１１６を開閉することができる。さらに、この設計により、ユーザは、左手または右手のいずれかで、容易にかつ人間工学的に解放部８０を作動させることができる。
【００２４】
図７は、ヒンジ機構１１８として有用なヒンジボルト１６０を示す。ヒンジボルト１６０は、第１の部材１１４および第２の部材１１６が回転可能に配置される平滑部１６４を含む。ねじ部が、フロントプレート１０８の下部１５３のねじ穴１５１にねじ式に固定されてもよい。
【００２５】
図８は、タイロッド１１０をフロントプレート１０８に固定するボルト１４２、１４４を示す。ボルト１４２、１４４は、固定をさらに補助するためにロックリング１６５を含むことができる。
【００２６】
図９は、コイルばね１６８を示す。コイルばねは、第１の部材１１４および第２の部材１１６のそれぞれの下部１２０、１２４の間に配置される。コイルばね１６８は、スライド可能部１５４が第１の部材１１４および第２の部材１１６との噛み合いの付勢された位置から引き込まれると、第１の部材１１４および第２の部材１１６を図に示す開位置に付勢する。第１の部材１１４および第２の部材１１６を付勢するための他の手段を適切に使用することができる。
【００２７】
図２８は、フロントプレート１０８および可動部材１１４、１１６の他の形態を示す。この形態では、可動部材１１４、１１６は、それぞれヒンジ１１８を形成する下部１２０、１２４を有する。下部１２０、１２４は開口部を含む。ブッシュ6がは、開口部を貫通して配置され、例えばねじ６８によってフロントプレート１０８に固定され、可動部材１１４、１１６が、可動部材が隣接する図２３に示す閉位置から、可動部材が移動する図２４に示す開位置に移動することを可能にする。トーションばね６２のような付勢部材が、可動部材を開位置に弾性的に付勢する。有利には、トーションばね６２は、下部１２０、１２４の凹部内に保持される。下部１２０、１２４の一方または両方は、溝６４を含むことができる。フロントプレート１０８に固定されて突出するピン６６が、溝６４内に配置され、ヒンジ１１８周りへの可動部材１１４、１１６の回転の度合いを制限する。図２８に示す変形例では、溝６４は下部１２４の厚さ全体を貫通するのではなく、下部１２０の厚さの一部のみを貫通する。これにより、ピンが下部１２０のブラインド溝64とフロントプレート１０８との間に保持されることが可能になる。図２９は、この形態のヒンジ１１８の断面図である。
【００２８】
図１０は、アセンブリ１０に有用な混合マニホールド１７０を示す。混合マニホールド１７０は、２つの開口部１７２、１７４および排出部１７６を有することができる。開口部１７２、１７４は、カートリッジまたはソーセージの出口にねじ込まれて、カートリッジまたはソーセージを混合マニホールドに流体的に接続する。排出部１７６は、混合ノズルまたは分配ノズルに流体的に接続することができる。２つの反応流動性組成物を使用する形態では、各組成物の一部は、ディスペンサ１２の作動によって混合マニホールド１７０に押し込まれ、さらに、排出部１７６に接続された混合ノズルに押し込まれて、２つの成分が混合する。内部静的混合要素を含む混合ノズルが知られている。混合された流動性組成物は、混合ノズルの先端から分配される。同じ流動性材料の２つの容器を使用する形態では、各組成物の一部は、ディスペンサ１２の作動によって混合マニホールド１７０に押し込まれ、さらに、流動性材料を分配するために排出部１７６に接続された公知の分配ノズルに押し込まれる。この形態では、アセンブリは、単一の容器を使用するガンと比較して２倍の流動性材料の分配を可能にする。
【００２９】
図１１は、図１の解放アセンブリ１１２の他の形態の部分斜視図である。フロントプレート１０８は、ベース１８０と、フロントプレートオリフィス１４８、１４６を画定する凹型隆起部１８２とを含むことができる。図１２に示すように、第１の部材１１４および第２の部材１１６は、リブ１８４を含むことができる。リブ１８４は、フロントプレート１０８のベース１８０上をスライド可能であり、フロントプレート１０８の凹型隆起部１８２と噛み合うことができる。第１の部材１１４および第２の部材１１６は、それらの閉位置ではプレッツェル状構造を形成するので、プレッツェル部と呼ぶこともできる。
【００３０】
図１３は、アセンブリ１００の背面斜視図である。リアプレートは、プランジャまたはピストン（それぞれ符号４０、図２３に最も良く示されている）がディスペンサ１２からアセンブリ１００へ出入りすることを可能にするオリフィス１８６を有する。リアプレート１０６穴１８８を設けることもできる。リアプレート１０６をフロントプレート１０８に固定するために、タイロッド１１０を穴１８８にねじ込むことができる。タイロッド１１０は、アセンブリ１００をディスペンサ１２（図示せず）に固定するために使用されてもよい。アセンブリ１００をディスペンサ１２に固定する他の手段を、解放可能に固定する機構を含め、適切に使用することができる。
【００３１】
図１５は、アセンブリ１００のリアプレート１０６の部分斜視図である。リアプレート１０６は、ベース部１９０と、ベース部１９０の少なくとも一部を取り囲む隆起部１９２とを含むことができる。隆起部は凹部を形成する。一形態では、チューブ１０２、１０４は、凹部内に取り外し可能に配置され、タイロッド１１０によって固定されてもよい。この形態は、ユーザがタイロッド１１０を取り外し、チューブ１０２、１０４およびフロントプレート１０８を一体のアセンブリとして迅速に取り外すことを可能とするので好都合である。これにより、洗浄、修理等のためにチューブ１０２、１０４の内部に容易にアクセスすることができる。チューブ１０２、１０４はまた、溶接、接着接合、圧入などによって凹部にしっかりと配置されてもよい。ベース部には、チューブのそれぞれの長手方向軸と同軸上に開口部１８６が画定されている。一形態では、軸方向の貫通孔、一端部のフランジおよび他端部のねじ山を画定するブッシュ（図示せず）が各開口部に挿入される。フランジは、凹部に嵌合し、ベース部に当接する。ねじ山は、リアプレート１０６を貫通して突出し、ディスペンスガン１２にねじ込まれ、リアプレート１０６をディスペンサに固定する。ディスペンサからの駆動ロッドは、ブッシュの貫通孔を通して配置される。
【００３２】
図１４は、アセンブリ１００のリアプレート１０６の他の形態の部分斜視図である。図１４に示すように、リアプレート１０６は、ベース部１９０および隆起部１９２を含むことができる。隆起部１９２は、直径などの幾何学的形状が実質的にチューブ１０２、１０４の形状と一致する開口オリフィス１９４を有する。チューブ１０２、１０４は、オリフィス１９４内にスライド可能に配置されてもよい。しかし、本開示はそれに限定されない。チューブ１０２、１０４は、溶着、接着接合、封止、圧入等により、オリフィス１９４に固定配置されてもよい。オリフィス１８６は、リアプレート１０６の隆起部１９２のオリフィス１９４より小さくてもよい。
【００３３】
図３２は、リアプレート１０６の他の形態の斜視図である。この形態は、ピン孔９２およびねじ孔９４を含む。ディスペンサは、リアプレート１０６がディスペンサに隣接しているときにピン孔９２内に配置される突出ピン（図示せず）を含む。ピン孔９２内へピンを相互係合させることにより、リアプレート１０６をディスペンサに対して正確に整列させ、位置を決めするのに役立つ。ねじが、リアプレートのねじ孔９４を通って配置され、ディスペンサと相互係合してリアプレート１０６をディスペンサに取り外し可能に固定する。
【００３４】
アセンブリ１００の様々な構成要素は、金属要素、プラスチック要素、および／または金属材料とプラスチック材料の組み合わせとすることができる。
【００３５】
本開示の様々な形態が本明細書に具体的に図示および／または記載されているが、本発明の精神および意図された範囲から逸脱することなく、当業者によって変更および変形がもたらされ得ることは理解されるであろう。さらに、特許請求の範囲または明細書に記載されている本開示の形態または態様のいずれも、限定されずに、互いに使用することができる。
【図１】
2019509951.tif 000003
【図２】
2019509951.tif 000004
【図３】
2019509951.tif 000005
【図４】
2019509951.tif 000006
【図５】
2019509951.tif 000007
【図６】
2019509951.tif 000008
【図７】
2019509951.tif 000009
【図８】
2019509951.tif 000010
【図９】
2019509951.tif 000011
【図１０】
2019509951.tif 000012
【図１１】
2019509951.tif 000013
【図１２】
2019509951.tif 000014
【図１３】
2019509951.tif 000015
【図１４】
2019509951.tif 000016
【図１５】
2019509951.tif 000017
【図１６】
2019509951.tif 000018
【図１７】
2019509951.tif 000019
【図１８】
2019509951.tif 000020
【図１９】
2019509951.tif 000021
【図２０】
2019509951.tif 000022
【図２１】
2019509951.tif 000023
【図２２】
2019509951.tif 000024
【図２３】
2019509951.tif 000025
【図２４】
2019509951.tif 000026
【図２５】
2019509951.tif 000027
【図２６】
2019509951.tif 000028
【図２７】
2019509951.tif 000029
【図２８】
2019509951.tif 000030
【図２９】
2019509951.tif 000031
【図３０ａ】
2019509951.tif 000032
【図３０ｂ】
2019509951.tif 000033
【図３１】
2019509951.tif 000034
【図３２】
2019509951.tif 000035
【国際調査報告】
2019509951.tif 000036
2019509951.tif 000037